(57)【要約】【課題】  撮影画像をネットワーク経由で遠隔地にあるサーバーに伝送する画像データ伝送システムにおいて、画像データの伝送に必要な各種設定や、ネットワークの構築作業を容易にする。【解決手段】  画像データを伝送する経路において発生したエラーを検出し、エラー要因別に細かく分類してエラー番号を割り振る。エラーが発生したら動作中常時表示可能な第１の表示装置にエラー番号を表示するとともに、ユーザーの操作によって第２の表示装置にエラー番号に対応したエラーの詳細説明を表示する。【選択図】  図２
2007329656.tif 000002
【特許請求の範囲】
【請求項１】
撮像装置と、撮影画像をネットワーク経由で伝送する伝送装置と、表示装置から構成される画像データ伝送システムにおいて、画像データを伝送する際に発生したエラーに対して、エラー発生要因毎にエラー番号を割り振って、該エラー番号を前記表示装置に表示することを特徴とする画像データ伝送システム。
【請求項２】
エラー番号を表示する第１の表示装置と、該エラー番号に対応するエラー詳細説明を表示する第２の表示装置とを備えることを特徴とする請求項１に記載の画像データ伝送システム。
【請求項３】
エラー番号を表示する第１の表示装置は、動作中は常時表示可能で、エラー詳細説明を表示する第２の表示装置は、ユーザーが操作したときにエラー詳細説明を表示することを特徴とする請求項２に記載の画像データ伝送システム。
【請求項４】
撮像装置と、撮影画像をネットワークで伝送する伝送装置と、動作中常時表示可能な第１の表示装置と、ユーザーが操作したときに表示可能な第２の表示装置から構成される画像データ伝送システムにおいて、画像データを伝送する際に発生したエラーに対して、第１の表示にエラーが発生したことを表示し、ユーザーが操作したときにエラーの要因毎にエラー詳細説明を表示することを特徴とする画像データ伝送システム。
【発明の詳細な説明】
【技術分野】
【０００１】
本発明は、デジタルカメラ等の撮像装置の画像データをネットワークを経由して遠隔地に伝送する画像データ伝送システムにおいて、画像データを伝送する際に発生したエラーを表示する表示方法に関する。
【背景技術】
【０００２】
デジタル一眼レフカメラ等の撮像装置は撮影した画像がデジタルデータであることから、公衆回線やネットワークを介して遠隔地への画像伝送が容易である。現像処理やフィルムそのものを送る手間の必要な従来のフィルムカメラに比べて速報性に優れているため、報道等の分野ではフィルムカメラからの置き換えが進んでいる。一方、インターネット等のネットワークの普及率はは年々高まってきており、最近では屋外においてもケーブルを接続することなく、モバイル環境にてネットワークに接続することができる、無線LAN等の技術が進歩してきている。
【０００３】
従来、デジタル一眼レフカメラ等の撮像装置において撮影データを遠隔地に伝送するためには、ネットワークに接続可能なPC等に画像をいったん取り込まなければいけなかった。しかし、近年のネットワーク技術の進歩とともに、より簡単に伝送するために、デジタルカメラから直接ネットワークに接続して伝送できるようにしたいという要望が高まってきている。最近では、デジタルカメラのメモリーカードスロットに無線LANカードを挿入し、カードを会してネットワークに接続し、画像伝送を行う製品や（たとえば、非特許文献１参照。）、デジタルカメラにケーブルで接続するアダプタータイプの無線LANユニット等の製品が発売されており（たとえば、非特許文献２参照。）、PCを間に介さずに、デジタルカメラから直接的に画像を伝送することが実現されている。
【０００４】
インターネット等のネットワークにデジタルカメラ等の機器を接続し、ネットワークの先に接続されているサーバー等の機器に画像データを伝送しようとした場合、機器のIPアドレスや接続先サーバーのIPアドレス、無線LANのSSIDや認証設定、暗号化設定等、多数の設定項目の設定が必要である。１ヶ所でも間違えた設定をすると最終的に画像データを伝送することはできないため、設定を行うユーザーは、高度なネットワーク関連知識を求められる場合がある。
【非特許文献１】「リコー株式会社  Caplio(登録商標) Pro G3カタログ」、リコー株式会社、２００３年、ｐ．４
【非特許文献２】「ニコン株式会社  デジタル一眼レフカメラ D2Hカタログ」、ニコン株式会社、２００３年
【発明の開示】
【発明が解決しようとする課題】
【０００５】
サーバー等の接続先の機器に正常に画像を伝送できない場合はエラーとなるが、従来の撮像装置から直接的に画像伝送を行うシステムでは、豊富な情報を表示できる表示装置を備えていなかったり、表示装置を備えていても、撮像装置の制御上の関係で常時表示していなかったりした。このため、LEDの点灯／点滅で接続エラーのエラー表示したり、撮像装置に内蔵された表示装置で、ユーザーが積極的にエラー項目を見に行ったときだけ、接続エラーが起こったことを表示するようにしていた。このような表示方法では、ユーザーは多数ある設定項目のどこが間違っているかがわからず、正常に接続できるまでトライ＆エラーを何回も繰り返さなければならなかった。そのため、高度なネットワーク関連知識をもたない一般ユーザーは、接続できるまで非常に時間がかかったり、最終的に接続できなかったりすることもあった。さらに、ネットワークを構築する上でも、エラー情報が十分でないためにネットワークにおける不具合を見つけることが困難であり、短時間で適切なネットワークを構築することができなかった。
【課題を解決するための手段】
【０００６】
本出願に係る第１の発明は、上記の課題を解決するため、画像データ伝送システムにおいてエラーが発生したら、エラー発生要因を特定し、エラー発生要因に応じてエラー番号を割り当てて、動作時に常時表示可能な表示装置にエラー番号を表示する。
【０００７】
本出願に係る第２の発明は、上記の課題を解決するため、画像データ伝送システムにおいてエラーが発生したら、エラー発生要因に応じたエラー番号を第１の表示装置に表示するとともに、第２の表示装置に該当するエラー番号に対する詳細なエラー説明を表示する。
【０００８】
本出願に係る第３の発明は、上記の課題を解決するため、画像データ伝送システムにおいて、動作中常時表示可能な第１の表示装置に、発生したエラー要因に応じたエラー番号をに表示するとともに、常時表示しない第２の表示装置に、ユーザーの操作に応じて第１の表示装置に表示したエラー番号に対する詳細なエラー説明を表示する。
【０００９】
本出願に係る第４の発明は、上記の課題を解決するため、画像データ伝送システムにおいて、動作中常時表示可能な第１の表示装置に、エラーが発生したことを表示するとともに、常時表示しない第２の表示装置に、ユーザーの操作に応じて第１の表示装置に表示したエラー番号に対する詳細なエラー説明を表示する。
【発明の効果】
【００１０】
本出願に係る第１の発明によれば、画像データ伝送システムにおいてエラーが発生したら、詳細なエラー発生個所を特定し、エラー発生個所に応じてエラー番号を割り当てて、動作時に常時表示可能な表示装置にエラー番号を表示することで、ユーザーはエラーが発生したことを即座に認識することができるとともに、エラー番号の意味を取扱説明書等で確認することによって、エラーの原因を容易に特定できる。したがって、画像を伝送するための多数の設定項目に容易に正しい設定をすることや、ネットワーク上の不具合を短時間で修正し、適切なネットワークを構築することができる。
【００１１】
本出願に係る第２の発明によれば、画像データ伝送システムにおいてエラーが発生したら、エラー番号を表示するとともに、エラー番号に対応したエラーの詳細説明を、画像データ伝送システム上で確認できるため、戸外や旅行先、取材先等において使用する場合でも、その場ですぐにエラーの原因を特定することができ、取扱説明書等がなくても、画像伝送に必要な設定項目に短時間で容易に正しい設定をして、画像を伝送する目的を達成することができる。さらに、ネットワーク上の不具合を短時間で修正し、適切なネットワークを構築することができる。
【００１２】
本出願に係る第３の発明によれば、画像データ伝送システムにおいてエラーが発生したら、詳細なエラー発生個所を特定し、エラー発生個所に応じてエラー番号を割り当てて、動作時に常時表示可能な表示装置にエラー番号を表示することで、ユーザーはエラーが発生したことを即座に認識することができる。さらに、常時表示をしない表示装置で、ユーザーの操作に応じてエラー番号に対する詳細なエラー説明を表示するため、ユーザーはエラーが発生した個所を容易に特定することができるとともに、正常に画像を伝送するために、どこの設定項目を修正すればよいかを容易に理解し、正しい設定をすることができる。また、ネットワーク上の不具合を短時間で修正し、適切なネットワークを構築することができる。常時表示をしない表示装置は、通常は他の情報を表示することができるので、エラー発生時にも撮像装置の本来の表示機能を損なうことはなく、ユーザーがエラー情報を見たい場合だけ見ることができる。
【００１３】
本出願に係る第４の発明によれば、画像データ伝送システムにおいてエラーが発生したら、動作時に常時表示可能な表示装置にエラー表示をすることで、ユーザーはエラーが発生したことを即座に認識することができる。さらに、常時表示をしない表示装置で、ユーザーの操作に応じてエラー番号に対する詳細なエラー説明を表示するため、ユーザーはエラーが発生した個所を容易に特定することができるとともに、正常に画像を伝送するために、どこの設定項目を修正すればよいかを容易に理解し、正しい設定をすることができる。また、ネットワーク上の不具合を短時間で修正し、適切なネットワークを構築することができる。常時表示をしない表示装置は、通常は他の情報を表示することができるので、エラー発生時にも撮像装置の本来の表示機能を損なうことはなく、ユーザーがエラー情報を見たい場合だけ見ることができる。
【発明を実施するための最良の形態】
【００１４】
（実施例１）
本発明の第１の実施の形態を図を用いて説明する。
【００１５】
図１は、本発明における画像データ伝送システムの一例である。液晶カラー表示装置を備えたデジタルカメラと、モノクロ液晶表示装置を備えた伝送アダプタから構成され、デジタルカメラと伝送アダプタとはIEEE1394規格や、USB規格等に準拠した接続ケーブルにて接続される。伝送アダプタは、有線LAN装置および有線LANコネクタと、無線LAN装置および無線LAN用のアンテナを備えており、ネットワークに対して、有線LANによる接続ではＬＡＮケーブル、無線LANによる接続では電波によって接続される。ユーザーはネットワーク環境に応じて、有線LANによる接続か無線LANによる接続かを選ぶことができるが、場合によっては両方同時に用いて接続してもかまわない。
【００１６】
デジタルカメラは、カラー液晶表示装置のほかにボタンや電子ダイヤル等のユーザーインターフェースを備え、これらを用いて画像データ伝送システム自身のIPアドレスや、FTPサーバーのIPアドレス、ログイン名、パスワード等の、画像伝送のための様々な設定ができるようになっている。カラー液晶表示装置は既知のデジタルカメラと同様に、ユーザーが撮影動作をしているときは、撮影に必要な情報を表示したり、プレイモードの際にはメモリーカードに保存してある画像を表示したり、画質選択等の設定メニューを表示をしたり、もしくは、表示をオフしたりできるようになっている。その一方、伝送アダプタに備えているモノクロ液晶表示装置は、ネットワークとリンクが確立しているか否か、また、リンクスピード表示や、ネットワーク上で発生したエラー表示、エラー番号表示等、主に画像伝送に関する表示項目を、電源オンの間は常時表示できるようになっている。
【００１７】
図２は無線LAN接続を用いたときの、ネットワークの様子を示した図である。
【００１８】
画像データ伝送システムは、無線LANアクセスポイントを介してネットワークに接続される。無線LANアクセスポイントに接続する際には、SSIDや認証といったハンドシェークを行うことで、通信ができる状態となる。認証の際には、無線LANアクセスポイントとネットワーク上に接続された認証サーバーとの間でデータのやりとりが行われることもある。
【００１９】
無線LANアクセスポイントに接続できると、画像データ伝送システムのIPアドレスを自動取得する場合はDHCPサーバーにアクセスしてIPアドレスを取得する。
【００２０】
さらに、最終的な画像の伝送先であるFTPサーバーのアドレスが、ドメイン名の形で画像データ伝送システムに設定されている場合は、DNSサーバーにアクセスすることで、ドメイン名からIPアドレスへの変換を行い、FTPサーバーにアクセスできるようになる。
【００２１】
さらに、FTPサーバーに対して、あらかじめ画像データ伝送システムに設定されたログイン名とパスワードを用いてログイン動作を行い、これが完了した段階で初めて画像の伝送が可能になる。
【００２２】
このように、ネットワークを介して画像を伝送するためには、多数のステップを踏んで最終的な画像伝送先であるFTPサーバーまでの経路を確立しなければならず、１つ１つのステップについて必要な設定項目を画像データ伝送システム上に正しく設定しなければならない。さらに、画像データ伝送システムの設定がすべて正しく行われても、ネットワークにおけるFTPサーバーまでの経路上にひとつでも問題があると、正しく画像伝送が行われない可能性があるため、経路上の問題をすべて取り除かなければならない。
【００２３】
画像データ伝送システムからFTPサーバーまで、正常に画像が伝送されるかどうかは、実際に画像を伝送してみるまでわからない場合が多い。ネットワークを適切に構築し、画像データ伝送システムにも正しい設定をしているつもりでも、いざ画像を伝送するという段階でネットワーク上のどこかのＬＡＮケーブルが抜けてしまったとか、DHCPサーバーやDNSサーバーが何らかの原因でダウンしてしまったといった、不慮の事故も考えられるからである。このような問題に柔軟に対応し、すばやく問題を解決するためには画像データ伝送システムにおいて、FTPサーバーまでの経路上のどこで、どのような問題が発生したかを検知して、ユーザーに知らせることが重要となる。
【００２４】
FTPサーバーまでの経路上で問題が発生した場合、伝送アダプタ１０１そのものや、無線LANアクセスポイント１２２やDHCPサーバー１２３、DNSサーバー１２４、認証サーバー１２５、FTPサーバー１２７等のネットワーク機器内部で、エラーとして認識される。認識されたエラーは、伝送アダプタへエラー情報として送信される。伝送アダプタとしては、これらのエラー情報を分析し、あらかじめ割り当てられたエラー番号のどれにあたるかを割り出す。さらに、伝送アダプタ上のモノクロ液晶表示装置１０５上に、エラーが発生したことを示す“ERROR”セグメントと既知の７セグメント表示部にエラー番号を点灯させると同時に、接続ケーブル１０４を経由してデジタルカメラ１００にエラー番号を通知する。
【００２５】
これによって、ユーザーは画像伝送中にエラーが発生したことを即座に認識することができ、取扱説明書等でモノクロ液晶表示装置１０５に表示されているエラー番号の意味を確認することで、FTPサーバーまでの経路上のどこでどのようなエラーが出たのかを認識し、短時間で画像伝送設定項目を修正したり、ネットワーク上の不具合を迅速に取り除いたりすることができる。ネットワーク機器内部で認識されるエラー情報はできるだけ詳細な情報として伝送アダプタに送信し、エラー番号の数をできるだけ多くすることで、ユーザーに対してより具体的なエラー対処方法を提供することができる。
【００２６】
さらに、デジタルカメラ１００にエラー番号が通知されることで、ユーザーはデジタルカメラ１００上のカラー液晶表示装置１０３上においてもエラー番号の意味を確認することができる。通常のデジタルカメラ１００操作時は、カラー液晶表示装置１０３は、表示がオフになっていたり、プレイバック機能やメニュー等を表示するようになっており、デジタルカメラとしての機能や応答性を損なうこと無く、画像伝送経路上でのエラーをエラー発生時に突然表示することが無いようになっている。
【００２７】
図３はカラー液晶表示装置１０３上に表示される画像伝送の設定項目を設定するためのメニューの一例である。画像伝送メニュー１３０の“エラー詳細表示“項目を選択することで、エラー詳細説明表示画面１３１に表示が切り替わる。エラー詳細説明表示画面１３１には、エラー番号選択領域１３２があり、ユーザーインターフェース１０２を操作することでこの領域を選択して、エラー番号を切り替えることができる。エラー詳細説明文表示領域１３３へは、エラー番号選択領域１３２にて選択したエラー番号に対応したエラー詳細説明文が表示されるようになっている。エラー詳細説明文は、発生したエラー自体の説明のほか、エラー回復のための具体的指示やヒント等も同時に表示することもできる。ユーザーはエラー番号を選択することでエラー詳細説明文表示領域１３３に任意のエラー番号に対応したエラー詳細説明文を表示させることができるが、実際にエラーが発生したときにエラー詳細説明表示画面１３１を表示させたときは、その時点で発生しているエラー番号に対応した説明文が、自動的に、最初に表示されるようになっている。
【００２８】
これによって、ユーザーは旅行先や取材先等で取扱説明書を携帯していない場合においても、画像伝送時にエラーが発生しても、ネットワーク上の画像伝送経路のどこの機器でどのようなエラーが発生しているか、または、画像データ伝送システムの設定項目のどこが間違った設定となっているかといった、エラーの原因を容易に特定することができ、画像伝送における障害を取り除くことができる。
【００２９】
（実施例２）
図４を用いて、本発明の第２の実施例を説明する。
【００３０】
図４はデジタルカメラに画像伝送機能を内蔵した画像データ伝送システムの一例である。画像伝送機能を内蔵する場合、実施例１のデジタルカメラと伝送アダプタで構成されるタイプよりも小型のシステムとなるため、表示装置の種類や面積が限られてくる。図４の場合はカラー液晶表示装置１３０と、実施例１のモノクロ液晶表示装置の変わりとなるLED表示装置１３１を具備している。LED表示装置１３１は、画像伝送機能の状態を表示する機能を持つ。画像伝送先であるFTPサーバーにログインし、画像が伝送できる状態（リンク確立状態）になったら点灯し、実際に画像を伝送しているときは、速い点滅をする。
【００３１】
FTPサーバーまでの経路上で問題が発生した場合、実施例１の同様に図２を用いて説明すると、伝送アダプタ１０１そのものや、無線LANアクセスポイント１２２やDHCPサーバー１２３、DNSサーバー１２４、認証サーバー１２５、FTPサーバー１２７等のネットワーク機器内部で、エラーとして認識される。認識されたエラーは、画像データ伝送システムへエラー情報として送信される。画像データ伝送システムとしては、これらのエラー情報を分析すると同時に、LED表示装置１３１に遅い点滅を表示する。これによって、ユーザーはエラー状態にあることを認識する。
【００３２】
カラー液晶表示装置１３０は実施例１と同様に、撮影操作等の通常の操作時は、表示がオフになっていたり、プレイバック機能やメニュー等を表示するようになっており、デジタルカメラとしての機能や応答性を損なうこと無く、画像伝送経路上でのエラーをエラー発生時に突然表示することが無いようになっている。
【００３３】
ユーザーはLED表示装置１３１の遅い点滅表示を確認することでエラー状態にあることを認識した後、エラーの詳細説明を見るためにカラー液晶表示装置１３０を使用する。ユーザーインターフェースを操作することで、カラー液晶表示装置にメニューを表示した後、さらにエラー詳細説明表示画面に遷移する。エラー詳細説明表示画面では、実施例１のようにエラー番号を表示するのではなく、現在発生しているエラーに関する詳細説明を表示する。この場合実施例１とは異なり、すべてのエラー番号に対応する詳細説明を表示することはできないが、現時点で発生しているエラーの説明を表示することで、ユーザーはエラーの原因を取り除くことができるので、十分な情報を提供していると言える。
【００３４】
これによって、画像データ伝送時にエラーが発生した場合、ユーザーはすぐにエラー状態を認識し、ネットワーク上の画像伝送経路のどこの機器でどのようなエラーが発生しているか、または、画像データ伝送システムの設定項目のどこが間違った設定となっているかといったエラーの原因を、容易に特定することができるため、画像伝送における障害を取り除くことができる。本実施例においては単体の機器だけでもエラーの原因を容易に特定できるため、場所や状況を選ぶことなく、ネットワーク上の不具合を取り除くことが簡単になる。
【図面の簡単な説明】
【００３５】
【図１】デジタルカメラと伝送アダプタから構成される画像データ伝送システムの一例
【図２】画像
【図３】ある１ラインにおける４チャンネルのＯＢ画素平均値の違い
【図４】デジタルカメラに画像伝送機能を内蔵した画像データ伝送システムの一例
【符号の説明】
【００３６】
１００  デジタルカメラ
１０１  伝送アダプタ
１０２  ユーザーインターフェース
１０３  カラー液晶表示装置
１０４  接続ケーブル
１０５  モノクロ液晶表示装置
１０６  無線LANアンテナ
１０７  ＬＡＮケーブル
１１０  画像データ伝送システム
１１１  ネットワーク
１１２  無線LANアクセスポイント
１１３  DHCPサーバー
１１４  DNSサーバー
１１５  認証サーバー
１１６  ルータ
１１７  FTPサーバー
１２０  画像伝送メニュー画面
１２１  エラー詳細説明表示画面
１２２  エラー番号選択領域
１２３  エラー詳細説明文表示領域
１３０  カラー液晶表示装置
１３１  LED表示装置
１３２  無線LANアンテナ
【図１】
2007329656.tif 000003
【図２】
2007329656.tif 000004
【図３】
2007329656.tif 000005
【図４】
2007329656.tif 000006